(57)【要約】本発明は、上側内面に流体噴射孔１２が形成され、その下側に流体排出通路１８が連結される便器本体１０と、便器本体の上面に開閉可能に装着される便座３０と、流体噴射孔１２と流体排出通路１８の間に連結されて、流体噴射孔を通じて水または空気を吸い込んで流体排出通路で排出させる吸入管４２と、吸入管の一側に設置されて吸入力を発生させる吸入ファンアセンブリー４４と、便座に設置されて吸入ファンアセンブリーを駆動させるスイッチング部材４６とで構成されて、流体噴射孔を通じて便器本体内部の空気を吸入して流体排出通路で排出させることによって便器本体内の悪臭を取り除くことができる。【選択図】図１
2013512360.tif 000002
【特許請求の範囲】
【請求項１】
内側に流体噴射孔が形成され、下側に流体排出通路が形成されている便器本体と、
前記便器本体の上面に開閉可能に装着される便座と、
前記流体噴射孔と前記流体排出通路を連結して前記流体噴射孔を通じて水または空気を吸い込んで流体排出通路で排出させる吸入管と、
前記吸入管の一側に設置されて吸入力を発生させる吸入ファンアセンブリーと、
前記便座に設置されて前記吸入ファンアセンブリーを駆動させるスイッチング部材とを含み、
前記吸入管はその一側に水が常に満たされたＵ字状管が連結されている悪臭排出装置を備えた洋便器。
【請求項２】
前記Ｕ字状管は前記吸入管に回転可能に連結されている請求項１に記載の悪臭排出装置を備えた洋便器。
【請求項３】
前記吸入ファンアセンブリーは前記吸入管に連結されているファンハウジングと、
前記ファンハウジングの内部に固定されている駆動モーターと、
前記駆動モーターの回転軸に固定されて、吸入力を発生させる吸入ファンとを含む請求項１に記載の悪臭排出装置を備えた洋便器。
【請求項４】
前記ファンハウジングは、
空気や水が吸入される吸入口が形成される吸入空間と、
前記吸入空間と第１隔壁で区画され、空気や水の排出される排出口が形成されており、前記吸入ファンが配置されている吸入ファン設置空間と、
前記吸入ファン設置空間と第２隔壁で区画され、前記駆動モーターが設置される駆動モーター設置空間とを含む請求項３に記載の悪臭排出装置を備えた洋便器。
【請求項５】
前記第２隔壁には前記駆動モーターの回転軸が通過する回転軸貫通孔が形成され、前記回転軸貫通孔の周辺には前記回転軸貫通孔を通じて流体が前記駆動モーターに流入されることを遮断するシーリング部材が設置されている請求項４に記載の悪臭排出装置を備えた洋便器。
【請求項６】
前記吸入ファンはその中央に水や空気が吸入され、その外周面で水や空気が吐出されるファンである請求項５に記載の悪臭排出装置を備えた洋便器。
【請求項７】
前記スイッチング部材は前記便座を押す圧力によって信号を発生させるスイッチである請求項１に記載の悪臭排出装置を備えた洋便器。
【発明の詳細な説明】
【技術分野】
【０００１】
本発明は悪臭排出装置を備えた洋便器に関するものである。
【背景技術】
【０００２】
一般に、建物を新築する時、トイレを最も簡単且つ便利で、きれいに利用することができるように住居空間内に設置するようになった。現在トイレは単純な排泄空間から脱して休憩空間として機能をして、その利用の便宜性とともに快適性が重要な要素として登場した。
【０００３】
トイレで大便及び小便などの用便を解決する便器の大部分を、用便をする人が楽に座って処理することができるような洋便器がたくさん普及されている。
【０００４】
ところが、このような洋便器の普及によってトイレの清潔性は大きく向上されたが、その反面、小さくて密閉された空間であるトイレの最大問題点は、用便の時広がるアンモニア性の悪臭で、これはトイレの快適さを阻害する最大要因となり、特に管理が相対的に疎かな公衆トイレの場合、悪臭はトイレの利用をためらわせ、トイレを汚く使うようにする主な原因になっている。
【０００５】
上記のような洋便器がトイレの清潔性の問題を解決するのに一助しているが、用便の中の悪臭はアンモニア性ガスで、用便の排出時ガス状に大量排出されて空気中に拡散するため、用便が水中に落下する過程で多量に拡散される悪臭の発生までを阻むことはできないという問題点がある。
【０００６】
このために、通常、トイレには換気扇を設置してトイレ内部の空気を外部に排出することで快適な環境を維持するようにするが、悪臭がトイレの内部に広がって、トイレの壁面に設置された換気扇による外部換気はトイレ内部空間の換気にたくさんの時間が所要されることで、用便をした後、たくさんの時間を経てからこそ悪臭が除去された快適な環境を取り戻すことができるようになることで、トイレを頻繁に利用する場合、例えば公衆トイレの場合、大きい効果がないという問題点が指摘されている。
【０００７】
これを解決するために、芳香剤などを用いてトイレ内部の臭いを取り除く方法が使われるが、この場合、芳香剤を持続的に使わなければならないため、費用がたくさんかかり、人体に有害な問題が発生される。
【０００８】
また、従来技術による換気扇の場合、空気のみ吸い込むように送風力が比較的弱くなり、トイレ内の悪臭排出性能が低下する問題点がある。
【発明の概要】
【発明が解決しようとする課題】
【０００９】
本発明が解決しようとする課題は、用便をする時、流体噴射孔を通じて便器内部で発生される悪臭を吸い込んで流体排出通路で排出させることによって、悪臭をより効果的に取り除くことができる悪臭排出装置を備えた洋便器を提供することである。
【００１０】
他の課題は、空気以外に水も吸入可能にして、容器本体に形成される流体噴射孔を通じて容器本体内の悪臭を吸い込むことができ、悪臭吸入のための別途の孔が必要なく、設置が便利で、費用を減らすことができる悪臭排出装置を備えた洋便器を提供することである。
【００１１】
また他の課題は、悪臭排出装置が便器本体に設置されるので、別途の悪臭排出配管が不必要で、設置費用及び製造費用を顕著に減らすことができる悪臭排出装置を備えた洋便器を提供することである。
【課題を解決するための手段】
【００１２】
本発明の一実施例による上側内面に流体噴射孔が形成され、その下側に流体排出通路が連結される便器本体、便器本体の上面に開閉可能に装着される便座、流体噴射孔と流体排出通路の間に連結されて、流体噴射孔を通じて水または空気を吸い込んで流体排出通路で排出させる吸入管、吸入管の一側に設置されて吸入力を発生させる吸入ファンアセンブリー、及び便座に設置されて吸入ファンアセンブリーを駆動させるスイッチング部材を含む。
【００１３】
吸入管は悪臭が逆流することを遮断するように、その一側に水が常に満たされるＵ字状管が設置される悪臭排出装置を具備することができる。
【００１４】
吸入ファンアセンブリーは、吸入管に連結されるファンハウジングと、ファンハウジングの内部に固定される駆動モーターと、駆動モーターの回転軸に固定されて、吸入力を発生させる吸入ファンとを含むことができる。
【００１５】
ファンハウジングは、空気や水が吸入される吸入口が形成される吸入空間と、吸入空間と第１隔壁で区画され、空気や水が排出される排出口が形成され、吸入ファンが配置される吸入ファン設置空間と、吸入ファン設置空間と第２隔壁で区画され、駆動モーターが設置される駆動モーター設置空間とを含むことができる。
【００１６】
第２隔壁には、駆動モーターの回転軸が通過する回転軸貫通孔が形成され、回転軸貫通孔の周辺には回転軸貫通孔を通じて水が駆動モーターに流入されるのを遮断するシーリング部材が設置されることができる。
【００１７】
吸入ファンは、その中央側に水や空気が吸入され、その外周面で水や空気が吐出されるファンである悪臭排出装置を具備することができる。
【００１８】
スイッチング部材は、便座を押す圧力によって信号を発生させるスイッチが用いられることができる。
【発明の効果】
【００１９】
本発明の実施例によれば、水を便器本体内部に噴射する流体噴射孔を通じて便器本体内部の悪臭を吸い込んで流体排出通路で排出させることによって、悪臭をより効果的に除去することができるという長所がある。
【００２０】
また、流体噴射孔と流体排出通路の間に連結される吸入管で空気以外に水も吸入されることができるようにして、既存の流体噴射孔を通じて便器本体内部の悪臭を吸い込んで製造費用を減らすことができるという長所がある。
【００２１】
また、吸入管にＵ字状管を設置して水が常に溜まるようにすることによって、悪臭の逆流を阻むための別途の装置なしに便利に悪臭の逆流を阻むことができるという長所がある。
【００２２】
また、悪臭排出装置が便器本体に設置されるか、便器本体と一体に製造されることができるので、設置が容易で、別途の設置作業が不必要で、費用及び設置時間を減らすことができるという長所がある。
【図面の簡単な説明】
【００２３】
【図１】本発明の一実施例による悪臭排出装置が備えられた洋便器の側面図である。
【図２】本発明の一実施例による悪臭排出装置が備えられた洋便器の断面図である。
【図３】本発明の一実施例による悪臭排出装置の構成図である。
【図４】本発明の一実施例による吸入ファンアセンブリーの断面図である。
【発明を実施するための形態】
【００２４】
以下、本発明が属する技術分野において通常の知識を有する者が容易に実施することができるように、本発明の実施例について添付した図面を参照で詳しく説明する。しかし、本発明は各種相異する形態に具現されることができ、ここで説明する実施例に限定されない。明細書全般において、類似する部分に対しては同じ図面符号を付ける。
【００２５】
図１は本発明の一実施例による悪臭排出装置を備えた洋便器の側面図で、図２は本発明の一実施例による悪臭排出装置を備えた洋便器の断面図である。
【００２６】
洋便器は、便器本体１０と、便器本体１０の内部に洗浄水を供給する水タンク２０と、便器本体１０の上部にヒンジ連結される便座３０と、便器本体１０に設置されて便座３０に座ると便器本体１０の内部で発生される悪臭を排出させる悪臭排出装置４０とを含む。
【００２７】
便器本体１０は上部内壁面に円周方向に沿って複数の流体噴射孔１２が形成されて、水タンク２０に貯蔵された水が流体噴射孔１２を通じて便器本体１０の内部に噴射されて便器本体１０内部を洗浄する。
【００２８】
便器本体１０の上側内部には複数の流体噴射孔１２と連結される水循環路１４が円周方向に沿って形成され、この水循環路は水タンク２０と水供給通路１６で連結される。
【００２９】
便器本体１０の下部には便器本体１０に流入された水が汚水と一緒に浄化槽に排出される流体排出通路１８が形成される。
【００３０】
便座３０はその一側が便器本体１０の上側に形成されたヒンジ連結部３２にヒンジ連結されて、便器本体１０の上面に接触され、その下面には便器本体１０の上面に接触される支持部材３４が装着される。
【００３１】
水槽２０は水が供給される水供給管２２が垂直に連結され、この水供給管２２には水タンク２０の内部に供給された水が所定水位になると、水供給管２２を閉鎖するフロート２４が設置され、水供給通路１６の入口には水供給通路１６を開閉するゴムバルブ２６が配置され、このゴムバルブ２６はレバーとチェーン２８で連結されて、レバーの動作によって水供給通路１６を開閉する。
【００３２】
悪臭排出装置４０は、図３に示すように、流体噴射孔１２と流体排出通路１８との間に連結される吸入管４２ａ、４２ｂと、この吸入管４２の一側に設置されて、吸入力を発生させる吸入ファンアセンブリー４４と、便座３０の下面に設置されて、便座３０に使用者が座ると吸入ファンを駆動させるスイッチング部材４６とを含む。
【００３３】
吸入管４２ａ、４２ｂは複数の流体噴射孔１２が連結される水循環路１４の一側と吸入ファンアセンブリー４４の吸入口の間に連結される第１吸入管４２ａと、吸入ファンアセンブリー４４の排出口と流体排出通路１８の間に連結される第２吸入管４２ｂとを含む。
【００３４】
このような吸入管４２ａ、４７２ｂは複数の流体噴射孔１２が連結される水循環路１４の一側に流体噴射孔１２を通じて便器本体１０内部の空気または水を吸い込んで、吸入された空気または水を流体排出通路１８で排出する。
【００３５】
このような吸入管４２ａ、４２ｂは、便器本体１０を製造する時一体に製造されてもよく、別途に製造されて便器本体１０に設置されてもよい。
【００３６】
そして、吸入管４２ａ、４２ｂは便器本体１０の左側や右側の中の何れか一つに設置される。即ち、吸入管４２ａ、４２ｂは便器本体１０が設置される場所によって便器本体１０の左側と右側の中の何れか一方に設置される。
【００３７】
このような吸入管４２ａ、４２ｂは便器本体１０の空気を吸い込むとともに、流体噴射孔１２を通じて噴射される水も一緒に吸入して吸入管４２ａ、４２ｂを通過し、吸入管４２ａ、４２ｂに吸入された水は吸入ファンアセンブリー４４を洗浄する役割を果たし、後述するＵ字状管５０に満たされる水を供給する役割を果たす。
【００３８】
第２吸入管４２ｂと流体排出通路１８の間にはＵ字状管５０が設置され、このＵ字状管５０の内部に水が常に満たされているようにすることによって、吸入管４２を通じて悪臭が便器本体１０に逆流することを防止する。
【００３９】
また、Ｕ字状管５０は、第２吸入管４２ｂに回転可能に連結されるとともに、上下方向に所定幅だけ移動することができるように結合される。
【００４０】
即ち、便器本体１０に吸入管４２ａ、４２ｂを結合させる時、ある程度の組み立て公差が発生し、これを相殺させるためにＵ字状管５０は第２吸入管４２ｂに回転可能に連結されて、所定幅だけ直線移動可能に結合される。
【００４１】
このようなＵ字状管５０と第２吸入管４２ｂの間の結合構造は多様な形態に設置されることができ、一例として第２吸入管４２ｂの端部にＵ字状管５０が挿入され、第２吸入管４２ｂとＵ字状管５０の間にシーリング部材５２を備えて密封し、第２吸入管４２ｂにカバー部材５４がボルト締結される構造が適用されることができる。
【００４２】
吸入ファンアセンブリー４４は、図４に示すように、吸入管４２に連結されるファンハウジング６０と、上記ファンハウジング６０の内部に固定される駆動モーター６６と、この駆動モーター６６の回転軸７８に固定されて吸入力を発生させる吸入ファン６８とを含む。
【００４３】
ファンハウジング６０は空気や水が吸入される吸入空間７０と、吸入ファン６８が回転可能に配置される吸入ファン設置空間７２と、駆動モーター６６が設置される駆動モーター設置空間７４で、隔壁６２、６４によって区画される。
【００４４】
吸入空間７０の側面には吸入管４２と連結される吸入口８０が形成され、送風ファン設置空間７２の側面には排出口８２が形成される。
【００４５】
吸入空間７０と吸入ファン設置空間７２は第１隔壁６２で区画され、この第１隔壁６２には吸入通路７６が形成される。そして、吸入ファン設置空間７２と駆動モーター設置空間７４は第２隔壁６４で区画され、この第２隔壁６４には駆動モーター６６の回転軸７８が通過する回転軸貫通孔８４が形成され、この回転軸貫通孔８４の周辺にはこの回転軸貫通孔８４を通じて水が駆動モーターに流入されることを遮断するシーリング部材８６が設置される。
【００４６】
シーリング部材８６は駆動モーターに水が流入されることを遮断することができるゴム材質など多様な材質で形成されることができる。
【００４７】
吸入ファン６８はその中央側に水や空気が吸入され、その外周面から排出される構造で形成される。即ち、吸入空間に流入された水や空気が吸入通路を通じて送風ファンの中央に流入され、送風ファンで中央に流入された水や空気は送風ファンの外周面で排出される。
【００４８】
吸入ファン６８は約８０００ＲＰＭで回転されるファンで、高速回転されることができる構造を備えている。このように、吸入ファン６８が高速回転されるので、既存の流体噴射孔１２が小さくても充分に吸入力を発揮して悪臭吸入性能を向上させることができる。
【００４９】
また、本実施例による悪臭除去装置は、空気だけではなく水も一緒に吸い込むので、空気と水を充分に吸い込むことができる吸入力の強い吸入ファンが適用される。
【００５０】
そして、吸入管４２ａ、４２ｂの場合、悪臭が吸入される流体噴射孔から悪臭が排出される流体排出通路までの距離が最短距離であるので悪臭排出がそれだけ早くなって、悪臭排出性能を向上することができる。
【００５１】
スイッチング部材４６は、便座３０の下面または便器本体１０の上面に設置されて、便座３０に使用者が座るとその圧力によって作動されるスイッチで、圧力を受けると信号を発生させる何れの形態のスイッチも適用可能である。
【００５２】
前述したように構成される本発明の一実施例による悪臭排出装置の作用を以下で詳細に説明する。
【００５３】
使用者が便座３０に座ると、便座に加えられる圧力によってスイッチング部材４６が作動し、このスイッチング部材４６の作動によって吸入ファンアセンブリー４４の駆動モーター６６に電源が印加される。そして、駆動モーター６６が駆動され、この駆動モーター６６と連結された吸入ファン６８が回転しながら吸入管４２に吸入力を発生させる。
【００５４】
そして、便器本体に形成される流体噴射孔１２を通じて便器本体１０内部の空気が吸入管４２に吸入され、吸入管４２に吸入された空気は流体排出通路１８で排出される。
【００５５】
このように、便器本体１０に使用者が座って用便をする時、便器本体１０の内部で発生される悪臭が流体噴射孔１２を通じて流体排出通路１８で排出されて悪臭を取り除く。
【００５６】
この時、流体噴射孔１２を通じて水タンク２０に貯蔵された水が容器本体１０の内部に排出される場合にも、吸入管１８に水が流入される。この場合吸入管１８に吸入された水は吸入ファン６８の吸入力によって排出されて、流体排出通路１８に移動する。
【００５７】
ここで、吸入ファンアセンブリー４４のファンハウジング６０には密封部材８６が設置されて吸入ファン６８を通過する水が駆動モーター６６に流入されるのを遮断する。
【００５８】
以上で本発明の好ましい実施例について詳細に説明したが、本発明の権利範囲はこれに限定されるのではなく、特許請求の範囲で定義している本発明の基本概念を利用した当業者の各種変形及び改良形態も本発明の権利範囲に属するべきである。
【符号の説明】
【００５９】
１０：便器本体
１２：流体噴射孔
１８：流体排出通路
２０：水タンク
３０：便座
３２：ヒンジ連結部
３４：支持部材
４０：悪臭排出装置
４２：吸入管
４４：吸入ファンアセンブリー
４６：スイッチング部材
５０：Ｕ字状管
【図１】
2013512360.tif 000003
【図２】
2013512360.tif 000004
【図３】
2013512360.tif 000005
【図４】
2013512360.tif 000006
【国際調査報告】
2013512360.tif 000007
2013512360.tif 000008
2013512360.tif 000009
2013512360.tif 000010